(57)【要約】【課題】ポインティング用の仮想スクリーンを容易に生成することができ、プレゼンテーションの円滑な進行が図られるプレゼンテーション装置を提供する。【解決手段】撮像部２０により聴衆者Ｒを撮影し、枠画像７１が表示されるモニタ３０で撮影画像を確認しながら、ポインティングを行う対象者Ｒ１と枠画像７１とが適切な位置になるように撮像部２０の画角を調整して仮想スクリーン領域を設定する。そして、この仮想スクリーン領域に仮想スクリーンのＸＹ座標を生成する。【選択図】        図４
2004246574.tif 000002
【特許請求の範囲】
【請求項１】
ポインティング用の仮想スクリーンを任意に生成するプレゼンテーション装置であって、
ズームおよびパン／チルトの調整により画角調整が可能とされた撮像部と、
この撮像部による撮影画像が表示されるプレゼンター用モニタと、
制御部とを備え、
前記撮像部の撮影範囲または前記モニタに、仮想スクリーン生成用の指標を設定し、この指標を基に、撮像部の画角内に適切な大きさの仮想スクリーン領域を設定し、この仮想スクリーン領域に前記制御部が仮想スクリーンのＸＹ座標を生成することを特徴とするプレゼンテーション装置。
【請求項２】
前記指標は、前記モニタに表示される位置および大きさが固定的または可変的な枠状の画像であり、該枠状の画像に前記仮想スクリーン領域を合わせることにより該仮想スクリーン領域が設定されることを特徴とする請求項１に記載のプレゼンテーション装置。
【請求項３】
前記指標は、前記対象者付近の光点であり、前記撮像部によって撮影された該光点を基準点として前記仮想スクリーン領域が設定されることを特徴とする請求項１に記載のプレゼンテーション装置。
【請求項４】
前記撮像部の他に、前記モニタを撮影するモニタ用撮像部を備え、前記指標は、前記モニタに対して指示される対角２点または１つの指示点であり、モニタ用撮像部が撮影する該指示点に基づき、仮想スクリーン用撮像部の画角内に指示点を基準点とした前記仮想スクリーン領域が設定されることを特徴とする請求項１に記載のプレゼンテーション装置。
【請求項５】
前記撮像部から前記光点までの距離を測定し、その距離に応じて仮想スクリーン撮像部の画角内に前記仮想スクリーン領域が設定されることを特徴とする請求項３に記載のプレゼンテーション装置。
【発明の詳細な説明】
【０００１】
【発明の属する技術分野】
本発明は、原稿や写真等の資料をスクリーンやディスプレイ等の表示装置によって聴衆者に表示しながら、プレゼンターがその資料の内容を説明するプレゼンテーションに用いて好適なプレゼンテーション装置に関する。
【０００２】
【従来の技術】
スクリーンに上記のような資料の画像を表示しながら、講演や商品の説明、あるいは授業等を行う場合がある（この種のパフォーマンスをここではプレゼンテーションと称する）。このようなプレゼンテーションでは、プレゼンターがスクリーンに投影される資料画像の特定箇所をポイントで指示することが行われている。このポインティングの手段としては、従来、レーザ光を投射するレーザポインタの使用が一般的であったが、レーザポインタは、レーザ光が危険であるといった欠点を有していた。
【０００３】
そこで本出願人は、特願２００１−２９９２６２で、プレゼンターの近傍に仮想的なスクリーンを生成し、この仮想スクリーンに対し、プレゼンターが指示マークをポインティングする状態をカメラで撮影し、画像データ上の指示マークの位置に対応するスクリーンの投影像の位置にポイント画像を表示するシステムを提案した。この提案によれば、レーザ光による危険性が全くないことに加え、画像処理によって手振れが抑えられたり、ポイント形状を様々なものに変えることができたりする付加価値もあった。また、本出願人による特願２００２−１７４１８４では、プレゼンターのみならず聴衆者も仮想スクリーンを使用してポインティングを行う者として取り上げている。
【０００４】
仮想スクリーンとは、上述したように指示マークでポインティングする仮想的なスクリーンであり、ＸＹ座標が生成されるものである。指示マークはライトペンによる光等であり、この指示マークで仮想スクリーンの任意の位置を指示すると、それを撮影するカメラの画像データからＸＹ座標上の指示マークの位置が求められ、その位置に対応するスクリーンの位置にポイント画像が表示されるのである。仮想スクリーンの生成方法の具体例としては、生成しようとする仮想スクリーンの対角２点で光を発光させる状態をカメラで撮影し、それら基準点を結ぶ対角線に基づく矩形状の仮想スクリーン領域をカメラの画角内に大きく写し込み、この仮想スクリーン領域にＸＹ座標を生成して仮想スクリーンとしている。
【０００５】
【発明が解決しようとする課題】
上記のようにして仮想スクリーンを生成する方法では、プレゼンターが立つ場所に制限が生じず、また、聴衆者もポインティングを行うことができるので、多様なプレゼンテーションを展開できるなどの利点がある。また、プレゼンターや聴衆者の体格に合ったサイズの仮想スクリーンが生成されるといった好ましい面もある。しかしながら、仮想スクリーンの生成方法が煩雑であり、聴衆者がポインティングする場合にはその方法を聴衆者にいちいち教える必要があるので、プレゼンテーションが円滑に進行しないことが想定される。また、固定的な仮想スクリーンを予め生成しておく場合も考えられるが、サイズが不変であったり、仮想スクリーンの位置を設定する煩わしさがあったりするため、プレゼンターによっては使い難い場合がある。
【０００６】
したがって本発明は、ポインティング用の仮想スクリーンを容易に生成することができ、プレゼンテーションの円滑な進行が図られるプレゼンテーション装置を提供することを目的としている。
【０００７】
【課題を解決するための手段】
本発明は、ポインティング用の仮想スクリーンを任意に生成するプレゼンテーション装置であって、ズームおよびパン／チルトの調整により画角調整が可能とされた撮像部と、この撮像部による撮影画像が表示されるプレゼンター用モニタと、制御部とを備え、撮像部の撮影範囲またはモニタに、仮想スクリーン生成用の指標を設定し、この指標を基に、撮像部の画角内に適切な大きさの仮想スクリーン領域を設定し、この仮想スクリーン領域に制御部が仮想スクリーンのＸＹ座標を生成することを特徴としている。
【０００８】
本発明により生成された仮想スクリーンは撮像部で撮影される画面に重ねて設定され、この仮想スクリーンに上記指示マークでポインティングすると、それを撮影する撮像部の画像データからＸＹ座標上での指示マークの位置が求められ、その位置に対応する表示装置の表示範囲の位置に、ポイント画像が表示される。本発明の表示装置とは、液晶プロジェクタ等の投影装置から画像が投影されるスクリーンや、画像データが入力されて画像を表示するＴＶ受像機や液晶ディスプレイ等を言う。
【０００９】
本発明によれば、撮像部の撮影範囲またはモニタに、仮想スクリーン生成用の指標を設定し、この指標を基に撮像部の画角内に適切な大きさの仮想スクリーン領域を設定し、この仮想スクリーン領域に仮想スクリーンのＸＹ座標を生成する。したがって、従来のように仮想スクリーン生成空間に対角２点の基準点を設定することを必要とせず、容易に仮想スクリーンを生成することができる。特に、対象者を聴衆者の中の１人とし、撮像部をプレゼンターが操作するようにすれば、プレゼンターによって、聴衆者の近傍に容易かつ速やかに仮想スクリーンを生成することができ、プレゼンテーションを円滑に進行させることができる。
【００１０】
本発明で提案する上記指標としては、モニタに表示される枠状の画像が挙げられ、この枠状の画像に、撮像部の画角を調整して生成すべき仮想スクリーンを合わせれば、仮想スクリーン領域を設定することができる。この場合の枠状の画像は、モニタに表示される位置および大きさが固定的なものか、もしくは可変的なものである。また、指標としては、対象者付近の光点でもよく、この光点としては、対象者に照射された光や、対象者が自身の近傍で発光させる光が挙げられる。指標が光点の場合は、撮像部によって撮影された該光点を基準点として仮想スクリーン領域が設定される。
【００１１】
また、本発明では、仮想スクリーンを撮影する撮像部の他に、モニタを撮影するモニタ用撮像部を備えた構成とし、指標をモニタに対して指示される対角２点または１つの指示点とし、モニタ用撮像部が撮影する該指示点に基づき、撮像部（仮想スクリーンを撮影する撮像部）の画角内に指示点を基準点とした仮想スクリーン領域を設定する方式を採ることができる。
【００１２】
【発明の実施の形態】
以下、図面を参照して本発明をプレゼンテーション用の資料提示装置に適用した実施形態を説明する。
（１）第１実施形態
図１の符号１は資料提示装置であって、該装置１は、上面に資料Ｓが置かれる資料載置台１０と、この資料載置台１０にアーム１１を介して支持された撮像部２０と、プレゼンター用のモニタ３０とを備えており、さらに資料載置台１０に置かれる資料Ｓを照明する図示せぬランプを有している。アーム１１は、資料載置台１０の左奥端部に立設された支柱部１１ａの上端にＬ字状の水平部１１ｂが固定されたもので、水平部１１ｂの先端は資料載置台１０のほぼ中央上方に位置しており、その先端に、撮像部２０が取り付けられている。
【００１３】
モニタ３０は、資料載置台１０の奥端部に開閉自在にヒンジ結合されており、図１に示す開いた状態で、画面が前方を向き、プレゼンターがその画面を視認する。モニタ３０の開き角度は手動で適宜に調整できるようになっている。
【００１４】
撮像部２０は、図２に示すように、ズーム機能を備えたカメラ２１および光学フィルタ２２を備えている。この撮像部２０は、アーム１１の先端に、被写体方向が下方の資料載置台１０に向き、かつ、その状態から前後方向へのチルトと左右方向へのパンとが自在になされるように取り付けられている。撮像部２０のパン／チルトおよびズーム調整は、手動で行われる。光学フィルタ２２は、不可視光である赤外光のみを撮影可能とするもので、カメラ２１の撮影光路に対し手動によって挿脱できるようにセットされている。なお以下の説明では、光学フィルタ２２をカメラ２１の撮影光路から外した状態を撮像部２０による可視光撮影、光学フィルタ２２をカメラ２１の撮影光路中に挿入した状態を撮像部２０による赤外光撮影と定義する。撮像部２０による撮影画像は制御部４０内の画像合成部４１、画像出力部４２を経て、液晶プロジェクタ５０およびモニタ３０に出力される。液晶プロジェクタ５０からは、撮像部２０による撮影画像が図示せぬスクリーンに投影される。制御部４０は、例えば資料載置台１０に内蔵されている。
【００１５】
図１の６０は、ポインティング用のライトペンである。このライトペン６０の先端には、ＬＥＤ等で構成された発光部が設けられており、スイッチを押すことにより、その発光部から赤外光を含む光が発光する。この赤外光ライトペン６０により、スクリーンに投影される画像中の同じ位置にポイント画像が表示されるポインティングを行うことができ、このポインタ機能は、制御部４０によりなされる。
【００１６】
撮像部２０による撮影画像は、液晶プロジェクタ５０およびモニタ３０に出力されるが、資料載置台１０に設けられた画像切替スイッチ１２を押してＯＮにすると、液晶プロジェクタ５０には撮像部２０による撮影画像が静止画像として出力され、一方、モニタ３０には、撮像部２０によるリアルタイムの撮影画像に、仮想スクリーン生成用の枠画像（指標：図４の符号７１で示す）が合成されて表示されるようになっている。枠画像７１は、画面上での位置および大きさが固定的であってもよく、また、任意に変更可能であってもよい。資料載置台１０には、仮想スクリーン生成スイッチ１３が設けられており、このスイッチ１３を押すと、枠画像７１に対応したポインティング用の仮想スクリーンが生成されるようになっている。
【００１７】
上記資料提示装置１を用いてプレゼンテーションを行うには、資料載置台１０の上に資料Ｓを置き、撮像部２０を資料載置台１０に向けて可視光撮影の状態とし、画像切替スイッチ１２をＯＦＦにする。資料Ｓは撮像部２０により撮影され、撮影画像（資料画像）は液晶プロジェクタ５０からスクリーンに投影される。プレゼンターはスクリーンに投影される資料画像を聴衆者Ｒに見せながら、資料Ｓの内容を説明する。スクリーンに対しては、プレゼンターあるいは聴衆者Ｒが、ライトペン６０を用いてポインティングを行うことができる。以下に、そのポインティングを行うときの作用を、１人の聴衆者Ｒがポインティングする場合を例にして説明する。図３はその際の仮想スクリーン生成からポインティングまでの動作、図４はモニタ３０に表示される撮影画像を示している。
【００１８】
まず、プレゼンターは画像切替スイッチ１２を押す。これにより、スクリーンに投影される資料画像は静止画像に切り替わり、モニタ３０に表示される画像は、撮像部２０によるリアルタイムの撮影画像に枠画像７１が合成されたものとなる（ステップＳ１０１）。この後、制御部４０は仮想スクリーン生成スイッチ１３が押されてＯＮになったか否かを判断する過程に移る（ステップＳ１０２）。プレゼンターはモニタ３０を確認しながら撮像部２０を適宜にパン／チルトさせて聴衆者Ｒに向ける。この状態では、図４（ａ）に示すように、モニタ３０には聴衆者Ｒが表示され、さらにその撮影画像には枠画像７１が合成されている。
【００１９】
続いて、プレゼンターは撮像部２０のズーム倍率を拡大して、図４（ｂ）に示すようにポインティングを行う１人の聴衆者である対象者Ｒ１の体格などに合わせて画角を概略設定し、さらに、図４（ｃ）に示すように画角を微調整して対象者Ｒ１の側方（図４（ｃ）では対象者Ｒ１にとって右側）に枠画像７１を配置する。この後、仮想スクリーン生成スイッチ１３を押す。制御部４０は仮想スクリーン生成スイッチ１３がＯＮになったことを検出し（ステップＳ１０２）、次いで、一般的な画像処理方式により、枠画像７１で示された仮想スクリーン領域にＸＹ座標を生成し、これによって仮想スクリーン８０を生成する（ステップＳ１０３）。仮想スクリーン８０の生成後は、プレゼンターが撮像部２０を赤外光撮影の状態とし、対象者Ｒ１がポインティングを行う（ステップＳ１０４）。
【００２０】
ポインティングを行うには、対象者Ｒ１が、発光させたライトペン６０によって仮想スクリーン８０を指示する。光学フィルタ２２が挿入されていることにより、ライトペン６０の発光部の位置のみが撮像部２０で撮影され、その画像データに基づき、制御部４０内の座標生成部４３において仮想スクリーン８０の座標上での発光部の座標が逐一算出される。そして、算出された発光部の座標にポイント画像生成部４４でポイント画像が生成される。このポイント画像は画像合成部４１に入力され、ここで資料画像と合成される。よって、資料画像にポイント画像が合成された画像が、液晶プロジェクタ５０に出力されてスクリーンに投影される。ポインティングを行う対象者Ｒ１は、スクリーンに投影されるポイント画像を確認しながら、仮想スクリーン８０にライトペン６０の発光部を位置させて所望の箇所にポインティングを行う。
【００２１】
上記実施形態によれば、従来のように仮想スクリーン生成空間に対角２点の基準点を設定することを必要とせず、容易に仮想スクリーン８０を生成することができる。また、聴衆者Ｒの近傍に仮想スクリーン８０を生成することが、プレゼンターの操作によって容易かつ速やかに行うことができるので、プレゼンテーションを円滑に進行させることができる。
【００２２】
（２）第２実施形態
第２実施形態では、モニタ３０に枠画像を表示するのではなく、対象者Ｒ１に照射する赤外光を基に、その対象者Ｒ１の近傍に仮想スクリーンを生成する。その生成方式を、図５のフローチャートおよび図６のモニタ画像を参照して説明する。
【００２３】
プレゼンターは撮像部２０を赤外光撮影の状態とし、図６（ａ）に示すように、撮像部２０を聴衆者Ｒに向け、その中のポインティングを行う対象者Ｒ１に向けて赤外光を照射する。なお、光学フィルタ２２が挿入されているのでモニタ３０に聴衆者Ｒは表示されないが、図６（ａ）では聴衆者Ｒを図示している。次に、プレゼンターは仮想スクリーン生成スイッチ１３を押す。すると、制御部４０は赤外光の照射点（指標、基準点）７２の中心座標（基準点）を抽出し、座標［Ｘ０，Ｙ０］とする（ステップＳ２０１）。次いで、プレゼンターは、モニタ３０を見ながら照射点７２が撮像部２０の画角内の中心、すなわちモニタ３０の中心に位置するように撮像部２０を適宜にパン／チルトさせる（ステップＳ２０２）。
【００２４】
次に、プレゼンターは撮像部２０を可視光撮影に切り替え（ステップＳ２０３）、モニタ３０を見ながら、図６（ｂ）に示すようにカメラ２１のズーム倍率を適宜に拡大し、さらに対象者Ｒ１の体格などに合わせて仮想スクリーンが適切な位置に配されるよう画角を概略設定する（ステップＳ２０４）。仮想スクリーンの適切な位置としては、対象者Ｒ１の側方が挙げられる。この後、プレゼンターは仮想スクリーン生成スイッチ１３を押してＯＮにする（ステップＳ２０５）。制御部４０はこれを受けて対象者Ｒ１の側方に仮想スクリーン８０を生成し（ステップＳ２０６）、その仮想スクリーン８０を、図６（ｃ）に示すようにモニタ３０に表示する（ステップＳ２０７）。
【００２５】
次に、プレゼンターはモニタ３０を見て仮想スクリーン８０がその位置で良いか否かを判断し（ステップＳ２０８）、否の場合はプレゼンターがモニタ撮像部２０の画角を微調整する（ステップＳ２０９）。そして、良い場合にはもう１度仮想スクリーン生成スイッチ１３を押してＯＮにし（ステップＳ２１０）、これによって対象者Ｒ１の側方に仮想スクリーン８０が確定する。対象者Ｒ１は、この仮想スクリーン８０に対しライトペン６０を用いてポインティングする（ステップＳ２１１）。
【００２６】
（３）第３実施形態
第３実施形態では、上記第２実施形態の赤外光の照射に代えて、対象者Ｒ１がライトペン６０を発光させ、その発光点を基に、対象者Ｒ１の近傍に仮想スクリーンを生成する。第３実施形態による仮想スクリーンの生成方式を、図７のフローチャートおよび図８のモニタ画像を参照して説明する。
【００２７】
プレゼンターは撮像部２０を赤外光撮影の状態とし、図８（ａ）に示すように、撮像部２０を聴衆者Ｒに向け、その中の対象者Ｒ１がライトペン６０を発光させる（７３はライトペン６０の発光点である）。次に、プレゼンターは仮想スクリーン生成スイッチ１３を押す。すると、制御部４０は発光点７３の中心座標（基準点）を抽出し、座標［Ｘ０，Ｙ０］とする（ステップＳ３０１）。次いで、プレゼンターは、モニタ３０を見ながら発光点７３が撮像部２０の画角内の中心に位置するように撮像部２０を適宜にパン／チルトさせる（ステップＳ３０２）。
【００２８】
次に、プレゼンターは撮像部２０を可視光撮影に切り替え（ステップＳ３０３）、モニタ３０を見ながら、図８（ｂ）に示すようにカメラ２１のズーム倍率を適宜に拡大し、さらに対象者Ｒ１の体格などに合わせて仮想スクリーンが適切な位置に配されるよう画角を概略設定する（ステップＳ３０４）。この後、プレゼンターは仮想スクリーン生成スイッチ１３を押してＯＮにする（ステップＳ３０５）。制御部４０はこれを受けて対象者Ｒ１の側方に仮想スクリーン８０を生成し（ステップＳ３０６）、その仮想スクリーン８０を、図８（ｃ）に示すようにモニタ３０に表示する（ステップＳ３０７）。
【００２９】
以下は、上記第２実施形態と同様に、プレゼンターが画角の微調整を行って仮想スクリーン８０を確定し（ステップＳ３０８〜ステップＳ３１０）、対象者Ｒ１によるポインティングに移行する（ステップＳ３１１）。
【００３０】
（４）第４実施形態
図９は、第４実施形態に係る資料提示装置２によってプレゼンテーションを行う状態を示しており、この資料提示装置２は、図１で示した資料提示装置１に、モニタ専用の撮像部２５が付加されているものである。この撮像部２５はアーム１１の先端に、被写体方向をモニタ３０に向けて取り付けられており、その撮影画像は制御部４０に取り込まれる。以下の説明では、聴衆者Ｒに向けられる撮像部２０を主撮像部（仮想スクリーン用撮像部）、モニタ３０を撮影する撮像部２５をモニタ用撮像部と称する。この場合、モニタ用撮像部２５には、赤外光のみを撮影可能とする光学フィルタが撮影光路中に挿入されている。また、主撮像部２０は光学フィルタ２２を特に必要としないので、省略した構成でもよい。
【００３１】
第４実施形態では、モニタ３０に対し対角２点を上記ライトペン６０によって指示し、モニタ用撮像部２５が撮影した対角２点を基に、対象者Ｒ１の近傍に仮想スクリーンを生成する。第４実施形態による仮想スクリーンの生成方式を、図１０のフローチャートおよび図１１のモニタ画像を参照して説明する。
【００３２】
プレゼンターは主撮像部２０を可視光撮影の状態とし、この主撮像部２０を聴衆者Ｒに向ける。モニタ３０には聴衆者Ｒが表示され、プレゼンターはこのモニタ３０上の聴衆者Ｒの中からポインティングを行う対象者Ｒ１の近傍の対角２点を指示点（指標、基準点）７４に設定し、これら指示点７４でライトペン６０を発光させる。図１１（ａ）はその状態を示しており、対角２点の指示点７４がモニタ用撮像部２５で撮影される。次に、プレゼンターは仮想スクリーン生成スイッチ１３を押す。すると、制御部４０はモニタ用撮像部２５の画像データから対角２点の指示点７４を認識し、これら指示点７４を結ぶ対角線の中心を中心座標［Ｘ０，Ｙ０］として算出する（ステップＳ４０１）。次いで、プレゼンターは、指示点７４を結ぶ対角線の中心が主撮像部２０の画角内の中心に位置するように主撮像部２０を適宜にパン／チルトさせる（ステップＳ４０２）。
【００３３】
次に、プレゼンターは主撮像部２０のカメラ２１のズーム倍率を適宜に拡大し、さらに対象者Ｒ１の体格などに合わせて仮想スクリーンが適切な位置に配されるよう画角を概略設定する（ステップＳ４０３）。この後、プレゼンターは仮想スクリーン生成スイッチ１３を押してＯＮにする（ステップＳ４０４）。制御部４０はこれを受けて対象者Ｒ１の側方に仮想スクリーン８０を生成し（ステップＳ４０５）、その仮想スクリーン８０を、図１１（ｂ）に示すようにモニタ３０に表示する（ステップＳ４０６）。以下は、上記第２，第３実施形態と同様に、プレゼンターが画角の微調整を行って仮想スクリーン８０を確定し（ステップＳ４０７〜ステップＳ４０９）、対象者Ｒ１によるポインティングに移行する（ステップＳ４１０）。
【００３４】
（５）第５実施形態
第５実施形態では、上記第４実施形態の対角２点の指示点に代えて、ライトペン６０によって１つの指示点をモニタ３０上で発光させ、その発光点を基に、対象者Ｒ１の近傍に仮想スクリーンを生成する。第５実施形態による仮想スクリーンの生成方式を、図１２のフローチャートおよび図１３のモニタ画像を参照して説明する。
【００３５】
プレゼンターは主撮像部２０を可視光撮影の状態とし、この主撮像部２０を聴衆者Ｒに向ける。モニタ３０には聴衆者Ｒが表示され、プレゼンターはこのモニタ３０上の聴衆者Ｒの中からポインティングを行う対象者Ｒ１にライトペン６０を当てて発光させ、１つの指示点（指標、基準点）７５を設定する。図１３（ａ）はその状態を示しており、この撮影画像が表示されているモニタ３０がモニタ用撮像部２５で撮影される。次に、プレゼンターは仮想スクリーン生成スイッチ１３を押す。すると、制御部４０はモニタ用撮像部２５の画像データから指示点７５を認識し、指示点７５の座標を抽出して座標［Ｘ０，Ｙ０］とする（ステップＳ５０１）。次いで、プレゼンターは、指示点７５が主撮像部２０の画角内の中心に位置するように主撮像部２０を適宜にパン／チルトさせる（ステップＳ５０２）。
【００３６】
次に、プレゼンターは、図１３（ｂ）に示すように主撮像部２０のカメラ２１のズーム倍率を適宜に拡大し、さらに対象者Ｒ１の体格などに合わせて仮想スクリーンが適切な位置に配されるよう画角を概略設定する（ステップＳ５０３）。この後、プレゼンターは仮想スクリーン生成スイッチ１３を押してＯＮにする（ステップＳ５０４）。制御部４０はこれを受けて対象者Ｒ１の側方に仮想スクリーン８０を生成し（ステップＳ５０５）、その仮想スクリーン８０を、図１３（ｃ）に示すようにモニタ３０に表示する（ステップＳ５０６）。以下は、上記第２〜第４実施形態と同様に、プレゼンターが画角の微調整を行って仮想スクリーン８０を確定し（ステップＳ５０７〜ステップＳ５０９）、対象者Ｒ１によるポインティングに移行する（ステップＳ５１０）。
【００３７】
なお、上記第２〜第５実施形態では、撮像部２０のズーム調整やパン／チルトをプレゼンターが行って仮想スクリーンを生成するようにしているが、撮像部２０から対象者Ｒ１までの距離を測定し、その距離に応じて自動的に画角を調整する方式を採用することもできる。
【００３８】
【発明の効果】
以上説明したように、本発明によれば、撮像部の撮影範囲またはモニタに仮想スクリーン生成用の指標を設定し、この指標を基に、撮像部の画角を調整してその画角内に適切な大きさの仮想スクリーン領域を設定し、この仮想スクリーン領域に仮想スクリーンを生成するので、その生成が容易であり、プレゼンテーションの円滑な進行が図られるといった効果を奏する。
【図面の簡単な説明】
【図１】本発明の第１〜第３実施形態に係る資料提示装置によってプレゼンテーションを行う状態を示す図である。
【図２】資料提示装置の構成ならびに機能を系統的に現したブロック図である。
【図３】第１実施形態の仮想スクリーンの生成方法を示すフローチャートである。
【図４】同方法を示すモニタ画像である。
【図５】第２実施形態の仮想スクリーンの生成方法を示すフローチャートである。
【図６】同方法を示すモニタ画像である。
【図７】第３実施形態の仮想スクリーンの生成方法を示すフローチャートである。
【図８】同方法を示すモニタ画像である。
【図９】本発明の第４、第５実施形態に係る資料提示装置によってプレゼンテーションを行う状態を示す図である。
【図１０】第４実施形態の仮想スクリーンの生成方法を示すフローチャートである。
【図１１】同方法を示すモニタ画像である。
【図１２】第５実施形態の仮想スクリーンの生成方法を示すフローチャートである。
【図１３】同方法を示すモニタ画像である。
【符号の説明】
１，２…資料提示装置（プレゼンテーション装置）、２０…撮像部、
２５…モニタ用撮像部、３０…プレゼンター用モニタ、４０…制御部、
７１…枠画像（指標）、７２…照射点（指標、基準点）、
７３…発光点（指標、基準点）、７４，７５…指示点（指標、基準点）、
８０…仮想スクリーン、Ｒ…聴衆者、Ｒ１…対象者、Ｓ…資料。
【図１】
2004246574.tif 000003
【図２】
2004246574.tif 000004
【図３】
2004246574.tif 000005
【図４】
2004246574.tif 000006
【図５】
2004246574.tif 000007
【図６】
2004246574.tif 000008
【図７】
2004246574.tif 000009
【図８】
2004246574.tif 000010
【図９】
2004246574.tif 000011
【図１０】
2004246574.tif 000012
【図１１】
2004246574.tif 000013
【図１２】
2004246574.tif 000014
【図１３】
2004246574.tif 000015